(57)【要約】【課題】本発明は、返品された書籍を正確に検品および仕分けを行うことができる返品書籍の仕分け設備を提供することを目的とする。【解決手段】バーコードリーダ４またはＯＣＲ６により読み取られた書籍のコードおよび入力装置３により入力された書店のコードにより、データベース３２の販売マスター３５に記憶されたこの書店／書籍の販売条件が検索され、この販売条件に基づき返品された書籍が検品され、検品の結果、検品に適合しない書籍は、たとえば書店への返送品としてリジェクタ１３によりリジェクタ１３の下方の返送品取出し部（コンベヤ装置）へ取り出され、また検品に適合した書籍は自動仕分け装置２１により仕入条件に応じて各受け入れ部へ仕分けられる構成とする。この構成によれば、販売条件が複雑な返品書籍をその販売条件に応じて正確に検品を行うことができるとともに仕入条件に応じて仕分けを行うことができる。【選択図】      図２
2004256226.tif 000002
【特許請求の範囲】
【請求項１】
小売業者より返品された書籍をこの書籍の仕入先へ返品するために仕分けを行う仕分け設備であって、
前記書籍を返品した小売業者を特定する情報を入力する入力手段と、
投入された書籍を搬送する搬送手段と、
前記書籍よりこの書籍を特定する情報を読み取る読取手段と、
前記仕入先との仕入条件に基づき予め設定された前記書籍が仕分けられる複数の仕分け口を有し、前記搬送手段により搬送されてきた書籍をそれぞれ特定の前記仕分け口に仕分ける仕分け手段と、
各書籍の検品条件を各小売業者毎に記憶した記憶手段と
を備え、
前記読取手段により前記書籍を特定する情報が読み取られると、この情報および前記入力手段により入力された小売業者の情報により前記記憶手段に記憶されたこの書籍の検品条件を検索し、この書籍の検品条件により前記返品された書籍を検品し、検品に適合した書籍を前記仕分け手段により特定された前記仕分け口へ仕分けること
を特徴とする返品書籍の仕分け設備。
【請求項２】
前記仕分け手段の上流に、再検品が必要な書籍を取り出す再検品取出し部を備え、
前記再検品取出し部へ取り出す書籍の情報を記憶した指定記憶手段を備え、
前記読取手段により前記書籍を特定する情報を読み取るときに、前記情報を読み取ることができなかったとき、または前記読取手段によって読み取られた前記書籍を特定する情報により前記指定記憶手段を検索し、この書籍が前記取り出す書籍のとき、この書籍を前記再検品取出し部へ取り出すこと
を特徴とする請求項１に記載の返品書籍の仕分け設備。
【請求項３】
前記仕分け手段の上流に、小売業者への販売条件を満たさない書籍を取り出す返送品取出し部を備え、
前記記憶手段に、前記検品条件として各小売業者毎に各書籍の販売条件を記憶し、
前記読取手段により前記書籍を特定する情報が読み取られると、この情報および前記入力手段により入力された小売業者の情報により前記記憶手段に記憶されたこの書籍の販売条件を検索し、書籍が検索した販売条件を満たさないとき、この書籍を前記返送品取出し部へ取り出すこと
を特徴とする請求項１または請求項２に記載の返品書籍の仕分け設備。
【請求項４】
前記仕分け手段の上流に、仕分けの際に除外する書籍を取り出す除外品取出し部を備え、
この除外品取出し部より上流に、前記搬送手段により搬送されている書籍の寸法または重量または体積の少なくとも１つを測定する書籍測定手段を備え、
前記書籍測定手段により測定された書籍が、予め設定された所定寸法内に含まれないとき、または予め設定された所定重量内に含まれないとき、または予め設定された所定体積内に含まれないとき、この書籍を前記除外品取出し部へ取り出すこと
を特徴とする請求項１〜請求項３のいずれかに記載の返品書籍の仕分け設備。
【請求項５】
前記書籍測定手段として、前記書籍の寸法を測定する採寸手段を備え、
前記仕分け手段は、前記採寸手段により測定された書籍の寸法から書籍が特定の判型と判断すると、この書籍を前記除外品取出し部へ取り出すこと
を特徴とする請求項４に記載の返品書籍の仕分け設備。
【請求項６】
前記仕分け手段の上流に、前記書籍の重量を測定する重量測定手段を備え、
前記仕分け手段は、各仕分け口に仕分けられた書籍の重量を、前記重量測定手段により測定された重量を累積して求め、所定の重量を超えるとこの仕分け口は満了と判断すること
を特徴とする請求項１〜請求項５のいずれかに記載の返品書籍の仕分け設備。
【請求項７】
前記記憶手段に、前記書籍を仕入先へ返品する作業日程計画を立てて、仕入先へ書籍を返却する曜日、または書籍の判型、または仕入先、または仕入先名の５０音順、または仕入先名が５０音図の行別あるいは行の組合せの別、または書籍が新刊か既刊かの別、または前記書籍のシリーズ、または前記書籍の価格帯、または前記書籍が単品指定書籍かの別、または前記書籍の仕入先からの仕入条件の少なくとも一つ、あるいはこれらの組合せにより仕分けるように前記仕分け口を設定する仕分け条件を記憶し、
前記読取手段により前記書籍を特定する情報が読み取られると、この情報によりこの書籍を出版した仕入先を特定し、この仕入先の情報により前記記憶手段に記憶されたこの書籍の仕分け条件を検索し、この書籍の仕分け条件により、前記仕分け手段の仕分け口を特定し、この情報に基づいて書籍を前記仕分け口へ仕分けること
を特徴とする請求項１〜請求項６のいずれかに記載の返品書籍の仕分け設備。
【請求項８】
前記仕分け口に仕分けられた書籍を、仕分け口毎または特定の仕分け口群毎に保管する保管手段を備えること
を特徴とする請求項１〜請求項７のいずれかに記載の返品書籍の仕分け設備。
【請求項９】
前記仕分け手段は、前記保管手段に保管された仕分け済みの書籍を、仕入先毎、または仕入先および書籍の分野毎、または仕入先および書籍の価格帯毎に再度仕分けること
を特徴とする請求項８に記載の返品書籍の仕分け設備。
【請求項１０】
書籍を前記搬送手段の上流位置へ切り出す切出し手段を備えること
を特徴とする請求項１〜請求項９のいずれかに記載の返品書籍の仕分け設備。
【発明の詳細な説明】
【０００１】
【発明の属する技術分野】
本発明は、書店等の小売業者から返品された書籍を出版社等の仕入先別に仕分ける仕分け設備に関するものである。
【０００２】
【従来の技術】
一般に書籍は委託販売の形態がとられる。すなわち、書籍は、仕入先である出版社から流通業者である販売会社に委託され、さらに販売会社から小売業者である書店に委託されて販売され、また書店において売れ残った書籍は返品可能期間内に書店より販売会社へ返品され、販売会社は書店から返品された書籍を出版社毎に仕分けて返品可能期間内に各出版社へ返品している。
【０００３】
このように書店より販売会社へ返品された書籍は、販売会社において出版社毎に仕分けられるが、毎年約７万点以上に及ぶ新刊が発行され、多くの書店から、発行された書籍の約３５％もの書籍が返品され、また出版社の数が４千社以上に及ぶことから、このような仕分け作業に多くの手間と人手を必要としてきた。そこで、返品された書籍の仕分けの自動化が図られてきている。このような自動化を図った従来の仕分け設備の一例として、雑誌返品処理システムが知られている。
【０００４】
この雑誌返品処理システムでは、バーコードセンサにより雑誌のコードナンバー（出版社、雑誌の種類、月号、価格などの情報が含まれる）が自動読み取りされ、このコードナンバーに対応した返品可能期間のデータに基づいて該雑誌の返品可または返品不可が判断され、この判断により自動仕分けされている（例えば、特許文献１参照）。
【０００５】
また、コードナンバーにより出版社毎に区別し必要に応じてさらに小さく区分した場所に、返品された雑誌を送出しているものもある（例えば、特許文献２参照）。
【０００６】
【特許文献１】
特公平５−７１４５０号公報
【０００７】
【特許文献２】
実開平５−１７２８号公報
【０００８】
【発明が解決しようとする課題】
しかし、上記雑誌返品処理システムでは、対象が雑誌であり、毎週あるいは隔週などの短いサイクルで次の号の雑誌が発行されることから、返品可能期間のような簡単な条件で、返品可または返品不可を判断することができるが、対象が普通書籍となると、小売業者毎に返品の条件が異なるなど返品書籍の条件は複雑になってきており、さらに出版社毎に返品する曜日がバラバラに設定され、毎日返品されてくる書籍をその設定された曜日まで保管する必要があることから、簡単に返品された書籍を仕分けることができず、書籍を対象として正確に仕分けて保管が可能な仕分け設備は実現されてなかった。
【０００９】
そこで、本発明は、返品の条件が複雑な書籍を正確に仕分けることができ、一時保管が可能な返品書籍の仕分け設備を提供することを目的としたものである。
【００１０】
【課題を解決するための手段】
前述した目的を達成するために、本発明のうち請求項１記載の発明は、小売業者より返品された書籍をこの書籍の仕入先へ返品するために仕分けを行う仕分け設備であって、前記書籍を返品した小売業者を特定する情報を入力する入力手段と、投入された書籍を搬送する搬送手段と、前記書籍よりこの書籍を特定する情報を読み取る読取手段と、前記仕入先との仕入条件に基づき予め設定された前記書籍が仕分けられる複数の仕分け口を有し、前記搬送手段により搬送されてきた書籍をそれぞれ特定の前記仕分け口に仕分ける仕分け手段と、各書籍の検品条件を各小売業者毎に記憶した記憶手段とを備え、
前記読取手段により前記書籍を特定する情報が読み取られると、この情報および前記入力手段により入力された小売業者の情報により前記記憶手段に記憶されたこの書籍の検品条件を検索し、この書籍の検品条件により前記返品された書籍を検品し、検品に適合した書籍を前記仕分け手段により特定された前記仕分け口へ仕分けることを特徴とするものである。
【００１１】
上記構成によれば、読取手段により読み取られた書籍を特定する情報および入力手段により入力された小売業者の情報により、記憶手段に記憶されたこの書籍の検品条件が検索され、この書籍の検品条件により返品された書籍は検品され、検品に適合した書籍は仕分け手段により特定された仕分け口へ仕分けられる。このように、書籍は、たとえば小売業者への販売条件などにしたがって正確に検品され、検品に適合した書籍は特定の仕分け口へ仕分けられる。
【００１２】
また請求項２に記載の発明は、上記請求項１に記載の発明であって、前記仕分け手段の上流に、再検品が必要な書籍を取り出す再検品取出し部を備え、前記再検品取出し部へ取り出す書籍の情報を記憶した指定記憶手段を備え、前記読取手段により前記書籍を特定する情報を読み取るときに、前記情報を読み取ることができなかったとき、または前記読取手段によって読み取られた前記書籍を特定する情報により前記指定記憶手段を検索し、この書籍が前記取り出す書籍のとき、この書籍を前記再検品取出し部へ取り出すことを特徴とするものである。
【００１３】
上記構成によれば、読取手段により書籍を特定する情報を読み取ることができなかったとき、または前記読取手段によって読み取られた書籍を特定する情報により指定記憶手段を検索し、この書籍が前記取り出す書籍のとき、この書籍は仕分け手段の上流部に配置した再検品取出し部へ取り出される。その後、再検品される。
【００１４】
また請求項３に記載の発明は、上記請求項１または請求項２に記載の発明であって、前記仕分け手段の上流に、小売業者への販売条件を満たさない書籍を取り出す返送品取出し部を備え、前記記憶手段に、前記検品条件として各小売業者毎に各書籍の販売条件を記憶し、前記読取手段により前記書籍を特定する情報が読み取られると、この情報および前記入力手段により入力された小売業者の情報により前記記憶手段に記憶されたこの書籍の販売条件を検索し、書籍が検索した販売条件を満たさないとき、この書籍を前記返送品取出し部へ取り出すことを特徴とするものである。
【００１５】
上記構成によれば、読取手段により読み取られた書籍を特定する情報および入力手段により入力された小売業者の情報により記憶手段に記憶されたこの書籍の販売条件が検索され、書籍が検索した販売条件を満たさないとき、この書籍は仕分け手段の上流部に配置された返送品取出し部へ取り出される。そして、この書籍は、返品した小売業者へ返送される。
【００１６】
また請求項４に記載の発明は、上記請求項１〜請求項３のいずれかに記載の発明であって、前記仕分け手段の上流に、仕分けの際に除外する書籍を取り出す除外品取出し部を備え、この除外品取出し部より上流に、前記搬送手段により搬送されている書籍の寸法または重量または体積の少なくとも１つを測定する書籍測定手段を備え、前記書籍測定手段により測定された書籍が、予め設定された所定寸法内に含まれないとき、または予め設定された所定重量内に含まれないとき、または予め設定された所定体積内に含まれないとき、この書籍を前記除外品取出し部へ取り出すことを特徴とするものである。
【００１７】
上記構成によれば、除外品取出し部より上流に備えられた書籍測定手段により測定された書籍が、予め設定された所定寸法内に含まれないとき、または予め設定された所定重量内に含まれないとき、または予め設定された所定体積内に含まれないとき、この書籍は仕分け手段の上流部に配置された除外品取出し部へ取り出される。このように、書籍は、下流の仕分口において仕分けが不能な判型または重量であると判定されると、除外品取出し部へ除外される。
【００１８】
また請求項５に記載の発明は、上記請求項４に記載の発明であって、前記書籍測定手段として、前記書籍の寸法を測定する採寸手段を備え、前記仕分け手段は、前記採寸手段により測定された書籍の寸法から書籍が特定の判型と判断すると、この書籍を前記除外品取出し部へ取り出すことを特徴とするものである。
【００１９】
上記構成によれば、採寸手段により測定された書籍の寸法から書籍が特定の判型と判断されると、たとえば下流の仕分け手段の仕分け口で仕分けることができない大判の書籍と判断されると、仕分け手段によりこの書籍は除外品取出し部、たとえば大判の書籍用の特定取出し部に仕分けられる。
【００２０】
また請求項６に記載の発明は、上記請求項１〜請求項５のいずれかに記載の発明であって、前記仕分け手段の上流に、前記書籍の重量を測定する重量測定手段を備え、前記仕分け手段は、各仕分け口に仕分けられた書籍の重量を、前記重量測定手段により測定された重量を累積して求め、所定の重量を超えるとこの仕分け口は満了と判断することを特徴とするものである。
【００２１】
上記構成によれば、仕分け口に仕分けられた書籍の重量は、重量測定手段により測定された重量を累積して求められ、所定の重量を超えるとこの仕分け口は満了と判断され、この仕分け口への仕分けは終了される。この仕分け口から書籍が取り出されると、この仕分け口へ再び仕分けが可能となる。
【００２２】
また請求項７に記載の発明は、上記請求項１〜請求項６のいずれかに記載の発明であって、前記記憶手段に、前記書籍を仕入先へ返品する作業日程計画を立てて、仕入先へ書籍を返却する曜日、または書籍の判型、または仕入先、または仕入先名の５０音順、または仕入先名が５０音図の行別あるいは行の組合せの別、または書籍が新刊か既刊かの別、または前記書籍のシリーズ、または前記書籍の価格帯、または前記書籍が単品指定書籍かの別、または前記書籍の仕入先からの仕入条件の少なくとも一つ、あるいはこれらの組合せにより仕分けるように前記仕分け口を設定する仕分け条件を記憶し、前記読取手段により前記書籍を特定する情報が読み取られると、この情報によりこの書籍を出版した仕入先を特定し、この仕入先の情報により前記記憶手段に記憶されたこの書籍の仕分け条件を検索し、この書籍の仕分け条件により、前記仕分け手段の仕分け口を特定し、この情報に基づいて書籍を前記仕分け口へ仕分けることを特徴とするものである。
【００２３】
上記構成によれば、読取手段により書籍を特定する情報が読み取られると、この情報によりこの書籍を出版した仕入先が特定され、この仕入先の情報により記憶手段に記憶されたこの書籍の仕分け条件、すなわち作業日程計画に基づいた、仕入先へ書籍を返却する曜日、または書籍の判型、または仕入先、または仕入先名の５０音順、または仕入先名が５０音図の行別あるいは行の組合せの別、または書籍が新刊か既刊かの別、または書籍のシリーズ、または書籍の価格帯、または前記書籍が単品指定書籍かの別、または書籍の仕入先からの仕入条件の少なくとも一つ、あるいはこれらの組合せが検索され、この書籍の仕分け条件により仕分け手段の仕分け口が特定され、この情報に基づいて書籍は特定された仕分け口へ仕分けられる。
【００２４】
また請求項８に記載の発明は、上記請求項１〜請求項７のいずれかに記載の発明であって、前記仕分け口に仕分けられた書籍を、仕分け口毎または特定の仕分け口群毎に保管する保管手段を備えることを特徴とするものである。
【００２５】
上記構成によれば、仕分け口に仕分けられた書籍は、仕分け口毎または特定の仕分け口群毎に、たとえば仕入先へ書籍を返却する曜日毎に設定された仕分け口毎に、保管手段に保管される。
【００２６】
また請求項９に記載の発明は、上記請求項８に記載の発明であって、前記仕分け手段は、前記保管手段に保管された仕分け済みの書籍を、仕入先毎、または仕入先および書籍の分野毎、または仕入先および書籍の価格帯毎に再度仕分けることを特徴とするものである。
【００２７】
上記構成によれば、保管手段に保管された仕分け済みの書籍は、仕分け手段により仕入先毎、または仕入先および書籍の分野毎、または仕入先および書籍の価格帯毎に再度仕分けられ、仕入先へ返品される。たとえば、仕入先へ書籍を返却する曜日に合わせて保管手段から出庫された、その曜日に返品予定の書籍は、仕分け手段により仕入先毎、または仕入先および書籍の分野毎、または仕入先および書籍の価格帯毎に仕分け（２次仕分け）が実行されて、返品される。
【００２８】
また請求項１０に記載の発明は、上記請求項１〜請求項９のいずれかに記載の発明であって、書籍を前記搬送手段の上流位置へ切り出す切出手段を備えることを特徴とするものである。
【００２９】
上記構成によれば、書籍は切出手段により搬送手段の上流位置へ切り出されて仕分け作業が開始される。このように、切出手段を設けることにより、全自動化が可能となる。
【００３０】
【発明の実施の形態】
以下、本発明の実施の形態を図面に基づいて説明する。
図１は本発明の実施の形態における返品書籍の仕分け設備の概略配置図、図２は同返品書籍の仕分け設備の制御構成図である。この返品書籍の仕分け設備は、書籍の販売会社（流通業者の一例）に設置されている。
【００３１】
図１において、Ｄは返品書籍を入れて書店（小売業者の一例）から販売会社へ搬送されてきたダンボール（容器の一例）、１は販売会社へ到着したダンボールＤから書籍を取り出して仕分け経路ａへ投入する投入口であり、この投入口から投入された書籍はベルトコンベヤ装置（搬送手段の一例）２により下流へ搬送される。また投入口１の近傍に、前記ダンボールＤに記された書店のコード（小売業者を特定する情報の一例）と仕分け終了を、後述する制御装置３１（図２）へ入力する表示機能（たとえば液晶表示器）付き入力装置（入力手段の一例）３が配置されている。なお、この入力装置３に代えて、入力手段としてダンボールＤから書店毎に設定されたバーコードを読み取るバーコードリーダを設けてもよい。図１では、前記仕分け経路ａを２経路としている。
【００３２】
また前記ベルトコンベヤ装置２により形成される仕分け経路ａに沿って、書籍を判別する手段として上流より、書籍Ｂに貼り付けられたＩＣチップ実装ラベルのＩＣチップに記憶されたデータと上記ダンボールに添付されるバインダーＶ（詳細は後述する）のＩＣチップに記憶されたデータを読み取るＩＣチップリーダ（読取手段の一例）８、搬送されている書籍Ｂのバーコード（書籍を特定する情報の一例）を読み取るバーコードリーダ（読取手段の一例）４、搬送されている書籍Ｂの寸法（サイズ）を測定する光電スイッチからなる採寸装置（書籍測定手段としての採寸手段の一例）５、搬送されている書籍ＢのＩＳＢＮコード（書籍を特定する情報の一例）を読み取る光学文字認識装置（ＯＣＲ；読取手段の一例）６、搬送される書籍の重量を測定する重量センサ（書籍測定手段としての重量測定手段の一例）７が配置されている。前記バーコードリーダ４は、書籍の通過を検知すると、バーコードの読取を実行し、読取の良否の情報（読取することができたかどうかの情報）とコード情報からなる読取信号を出力する。また同様にＯＣＲ６は、書籍の通過を検知すると、ＩＳＢＮコードの読取を実行し、読取の良否の情報（読取することができたかどうかの情報）とコード情報からなる読取信号を出力する。また書籍Ｂには、上記ＩＣチップ実装ラベルを貼り付けている書籍と貼り付けていない書籍があり、貼り付けている書籍Ｂには、そのＩＣチップ実装ラベルのＩＣチップに、書籍Ｂを特定する書名のコード（書籍を特定する情報の一例）と、書籍Ｂを出版した出版社（仕入先の一例）のコードと、この書籍Ｂの発行日などからなる書誌データ、あるいは各種販売情報履歴などが予め記憶されている。
【００３３】
上記バインダーＶは、たとえばＢ５サイズの書籍と同一の程度の大きさの樹脂等の成形品から構成され、表面にＩＣチップ実装ラベル９が取り外し可能に取り付けられており、このＩＣチップ実装ラベル９のＩＣチップに予め記憶された特有の番号（たとえばシリアル番号）が上記ＩＣチップリーダ８により読み取られる。この番号は予め上記ダンボール毎に対応しており、書店からダンボールが送られてくると、このダンボールの付された書店のコード（あるいは書店名）が読み取られるとともに、バインダーＶが添付され、書店のコードとバインダーＶの番号が、ダンボールの書店からの受け入れを管理する管理コンピュータ１０において管理される。またバインダーＶのＩＣチップに記憶された番号の読み取りにより、ダンボールに収納されていた書籍Ｂが全て投入されたこと（１ダンボールの仕分け終了）が検知される（詳細は後述する）。
【００３４】
またこれら書籍を判別する手段の下流には仕分け経路ａに沿って、後述する仕分け条件にしたがってそれぞれ書籍を仕分ける、除外品（規格を外れた異型品）仕分け用のリジェクタ１１，再検品仕分け用のリジェクタ１２，返送品仕分け用のリジェクタ１３が連続して配置され、その下流には、大判の書籍を仕分ける振り分け装置１４が配置されている。これらリジェクタ１１，１２，１３と振り分け装置１４は、制御装置３１の指令に基づいて、書籍を搬送するコンベヤ装置を傾斜させて書籍を下へ落下させ、仕分けるように構成されており、リジェクタ１１，１２，１３と振り分け装置１４の下方位置に、それぞれ仕分けられた書籍を搬送するコンベヤ装置１５，１６，１７，１８が配置されている。リジェクタ１１の下方のコンベヤ装置１５と振り分け装置１４の下方のコンベヤ装置１８は、仕分けの際に、除外する書籍を仕分ける除外品取出し部（異型品ライン）、リジェクタ１２の下方のコンベヤ装置１６は、再検品が必要な書籍を仕分ける再検品取出し部（再検品ライン）、リジェクタ１３の下方のコンベヤ装置１７は、書店への販売条件を満たさない書籍を仕分ける返送品取出し部（返送品ライン）を構成している。
【００３５】
また振り分け装置１４の下流に、出版社へ書籍Ｂを返品する作業日程計画に基づいて、たとえば出版社毎に設定された返品書籍を受け入れる曜日毎に、書籍Ｂを仕分けるための自動仕分け装置（仕分け手段の一例）２１が配置されている。この自動仕分け装置２１は、それぞれ引き出し可能な仕分け用収納箱２０（図７）を備えた複数（ｎ台）の受け入れ部（仕入先との仕入条件に基づき予め設定された、書籍が仕分けられる仕分け口の一例）２２を有し、上記振り分け装置１４を通過してきた書籍Ｂを搬送しながらそれぞれ特定の受け入れ部２２に仕分ける装置であり、チェーンなどの無端駆動体に複数の仕分けコンベヤ２３を設けて無端状の搬送経路ｂを形成し、搬送経路ｂに対向して仕分けコンベヤ２３からの書籍を受け入れる前記受け入れ部２２が設けられている。また振り分け装置１４より搬出された書籍を搬送し、さらに移動している仕分けコンベヤ２３と同期して仕分けコンベヤ２３へ１冊ずつ書籍を切り出す切出し装置２４が設けられている。
【００３６】
また各受け入れ部２２にはそれぞれ、仕分けコンベヤ２３を駆動して書籍を収納箱２０内へ落とす駆動装置２５（図７）と、収納箱２０内へ落とす書籍の衝撃を緩和するために、収納箱２０内の書籍の上面レベルを一定とするよう書籍Ｂを支持する収納箱２０内の底板を昇降自在としたリフト装置２８（図７）と、受け入れ部２２（収納箱２０）が書籍で満了となったことを作業者へ報知するランプ付き満了押釦スイッチ２６（図７）と、作業者による収納箱２０からの書籍取出し終了時、すなわち受け入れ部２２から収納箱２０を引き出して書籍Ｂを取り出し、収納箱２０を受け入れ部２２へ戻した後に作業者が操作する終了押釦スイッチ２７（図７）が設けられている。前記リフト装置２８は、満了押釦スイッチ２６の操作により底板（書籍Ｂ）を下降させて収納箱２０を受け入れ部２２から引き出し可能とし、終了押釦スイッチ２７の操作により底板を上昇させて書籍Ｂの受け入れを可能としている。
【００３７】
またこの自動仕分け装置２１の受け入れ部２２群に沿ってコンベヤ装置２９が配置され、このコンベヤ装置２９の下流端に自動倉庫３０が設けられている。各受け入れ部２２は、書籍で満了となると満了ランプ２６が点灯され、この満了ランプ２６の点灯に応じてこの受け入れ部２２の書籍は作業者によりコンテナＣに移し換えられ、終了ボタン２７が操作され、その後コンテナＣはコンベヤ装置２９に載せられて自動倉庫３０へ搬送され、一時保管される。
【００３８】
また図２に示すように、上記入力装置３から入力される、書籍を返品した書店のデータ、バーコードリーダ４の読取信号、採寸装置５に測定された書籍の寸法データ、ＯＣＲ６の読取信号、および重量センサ７により測定された書籍の重量データにしたがって、リジェクタ１１，１２，１３と振り分け装置１４を駆動し、また後述する「書籍を仕分ける受け入れ部２２を特定する情報」を自動仕分け装置２１の制御装置２１Ａへ出力する、コンピュータからなる制御装置３１が設けられ、また制御装置３１には、データベース（記憶手段の一例）３２が接続されている。
【００３９】
このデータベース３２は、図３に示すように、「発行された各書籍毎に、書名と、そのコードと、出版社およびそのコードと、発行日と、目視判断が必要な指定書籍（銘柄）かどうかの別（再検品取出し部へ取り出す書籍の情報の一例）などのデータ」が記憶されている書誌マスター（指定記憶手段の一例でもある）３３と、「書籍を販売する各書店毎に、書店を特定するコードなど」が記憶されている書店マスター３４と、「各書店毎に、各書籍毎の販売条件（検品条件の一例）として、返品可能期間が設定された委託販売品か、注文販売品か、または買切販売品かの条件など」が記憶されている販売マスター３５と、「各出版社の返品書籍の受け入れの曜日（出版社へ書籍を返品する作業日程計画に基づく書籍Ｂの仕分けるように仕分け口を設定する「仕分け条件」の一例）など」が記憶されている仕入れマスター３６から構成されている。なお、前記仕分け条件として、前記出版社の返品書籍の受け入れの曜日（出版社へ書籍を返却する曜日）以外に、書籍の判型、出版社、または出版社名の５０音順、または出版社名が５０音図の行別（ア行、カ行、サ行…の別）あるいは行（ア行、カ行、サ行…）の組合せの別、または書籍Ｂが新刊か既刊かの別、または書籍Ｂのシリーズ、または書籍Ｂの価格帯、または書籍Ｂが単品指定書籍（銘柄）かの別、または書籍Ｂの出版社からの仕入条件があり、またこれらの組合せもある。
【００４０】
上記制御装置３１は、図４のブロック図に示すように、投入口１から投入された書籍Ｂの検品などを実行する制御部４１とトラッキング部４２から構成されている。
【００４１】
トラッキング部４２は、時計４３と、ＯＣＲ６の読取信号を入力する毎に時計４３の時刻を記憶するメモリ４４と、書籍がＯＣＲ６から各リジェクタ１１，１２，１３、振り分け装置１４、自動仕分け装置２１へ搬送されていく通過時間がそれぞれ予め設定され、スキャンタイム毎にメモリ４４を検索して時刻の記憶をすると、メモリ４４に記憶された各時刻に各通過時間を加算した時刻を求め、時計４３の時刻と一致すると、それぞれパルス信号を出力し、さらに自動仕分け装置２１へのパルス信号を出力するとメモリ４４の時刻を消去する経過時間検出部４５から構成されている。このトラッキング部４２の構成により、書籍はＯＣＲ６を通過すると、各リジェクタ１１，１２，１３、振り分け装置１４と書籍が通過するタイミングでパルス信号（タイミング信号）が出力され、また自動仕分け装置２１へ書籍が搬出されるタイミングでパルス信号（タイミング信号）が出力される。
【００４２】
前記制御部４１の動作を図５および図６に示すフローチャートにしたがって説明する。なお、制御部４１には、予め大判として仕分ける書籍の寸法、リジェクトする書籍の寸法と体積（所定寸法・所定体積）、リジェクトする書籍の重量（所定重量）が設定されている。また、上述したように書籍Ｂには、ＩＣチップ実装ラベルを貼り付けている書籍と貼り付けていない書籍がある。
【００４３】
まず、入力装置３により書店のコードが入力されると（ステップ−１）、この書店名が書店マスター３３に登録されているかが判定され（ステップ−２）、登録されていないとき、仕分け不可を入力装置３に表示して（ステップ−３）、終了する。また書店のコードが書店マスター３３に登録されていると、その書店名を記憶する（ステップ−４）。
【００４４】
続いて、ＩＣチップリーダ８の読取信号が入力されているかを確認し（ステップ−５）、確認すると、ＩＣチップリーダ８の読取信号のデータが書誌データかどうかを確認し（ステップ−６）、確認すると、この書誌データを形成する書名のコードと出版社のコードにより書誌マスター３３を検索して書籍Ｂの書名と書籍Ｂを発行した出版社を求め、この求めた書籍Ｂの書名と出版社、および書誌データの書籍Ｂの発行日を記憶し（ステップ−７）、確認できないとき、すなわち書誌データではなかったとき、バインダーＶのＩＣチップのダンボール毎に対応したシリアル番号を読み取ったと判断して、このシリアル番号と前記記憶した書店名からなるデータ（書店のコードとバインダーＶの番号からなるデータ）を管理コンピュータ１０へ出力する（ステップ−８）。続いてバインダーＶを再検品ラインへ搬送するために、リジェクタ１２への再検品信号を一定時間出力し（ステップ−９）、終了する。
【００４５】
また上記ステップ−５においてＩＣチップリーダ８の読取信号を確認できないとき、続いてバーコードリーダ４の読取信号、続いてＯＣＲ６より読取信号が入力されているかを確認し（ステップ−１０，１１）、書籍のバーコードと書籍のＩＳＢＮコードが共に読み取られているか、共に読み取られていないとき、少なくとも一方が読み取られているを確認し（ステップ−１２，１３）、書籍のバーコードと書籍のＩＳＢＮコードが共に読み取られていないとき、すなわちノーリードのとき、この書籍を再検品ラインへ搬送すると決定し、リジェクタ１２への再検品信号を一定時間出力し（ステップ−１４）、ステップ−５へ戻り、次の書籍のＩＣチップまたはバーコード読取信号を待つ。
【００４６】
またステップ−１２においてコードが共に読み取られているとき、これら書籍のバーコードと書籍のＩＳＢＮコードが一致しているかを確認し（ステップ−１５）、一致していないとき、書籍のバーコードを正とする（ステップ−１６）。
【００４７】
ステップ−１３またはステップ−１５またはステップ−１２により書籍のコードが確定すると、この書籍のコードにより書誌マスター３３を検索して書名と出版社を求めて記憶する（ステップ−１７）。
【００４８】
続いて、このステップにおいて記憶した書籍Ｂの書名またはステップ−７において記憶した書籍Ｂの書名により、書誌マスター３３を検索して目視判断が必要な指定書籍（銘柄）かどうかを判断し（ステップ−１８）、目視判断が必要な指定書籍と判断すると、ステップ−１４を実行して、この書籍を再検品ラインへ搬送すると決定し、リジェクタ１２への再検品信号を出力する。また目視判断が必要な指定書籍ではないと判断すると、前記記憶した書籍Ｂの書名、および前記記憶した書店名により、販売マスター３５を検索して登録されているかどうかを確認し（ステップ−１９）、確認できないと、ステップ−１４を実行して、この書籍を再検品ラインへ搬送すると決定し、リジェクタ１２への再検品信号を出力する。
【００４９】
登録を確認すると、販売条件を求めて記憶し（ステップ−２０）、販売条件が「委託品」かどうかを確認し（ステップ−２１）、委託品ではないとき、すなわち注文販売品または買切販売品のとき、この書籍を返送品ラインへ搬送すると決定し、リジェクタ１３への返送品信号を一定時間出力し（ステップ−２２）、ステップ−５へ戻り、次の書籍のＩＣチップまたはバーコード読取信号を待つ。また委託品のとき、販売条件として記憶した返品可能期間内かどうかを確認し（ステップ−２３）、返品可能期間内ではないとき、ステップ−２２を実行して、この書籍を返送品ラインへ搬送すると決定し、リジェクタ１３への返送品信号を出力する。
【００５０】
書籍が委託品でかつ返品可能期間内のとき、続いて採寸装置５に測定された書籍の寸法と重量センサ７により測定された書籍の重量を確認し、予め設定された所定寸法内、所定体積内に含まれるか、および予め設定された所定重量内に含まれるかを判断する（ステップ−２４）。予め設定された所定寸法内または所定体積内または予め設定された所定重量内ではないと判断すると、この書籍を異型品ラインへ搬送すると決定し、リジェクタ１１への異型品信号を一定時間出力し（ステップ−２５）、ステップ−５へ戻り、次の書籍のＩＣチップまたはバーコード読取信号を待つ。
【００５１】
書籍が、予め設定された所定寸法内、所定体積内で、かつ所定重量内のとき、続いて採寸装置５に測定された書籍の寸法より予め設定された大判の寸法かを確認し（ステップ−２６）、大判と判断すると、振り分け装置１４で仕分けると決定し、振り分け装置１４への振り分け信号を一定時間出力して（ステップ−２７）、ステップ−５へ戻り、次の書籍のＩＣチップまたはバーコード読取信号を待つ。
【００５２】
続いて大判ではないと判断すると、前記記憶した出版社により仕入れマスター３６を検索して返品の曜日を求めて記憶し（ステップ−２８）、自動仕分け装置２１の制御装置２１Ａへ、この返品の曜日と重量センサ７により測定した書籍の重量を、書籍を仕分ける受け入れ部２２を特定する受け入れ部特定情報として、自動仕分け装置２１へ出力し（ステップ−２９）、ステップ−５へ戻り、次の書籍のＩＣチップまたはバーコード読取信号を待つ。
【００５３】
上記制御部４１の動作により、入力装置３により書店のコードが入力されると、投入口１より投入される書籍毎に、除外品（異型品）としてリジェクト１１で仕分けるかどうか、再検品としてリジェクト１２で仕分けるかどうか、返送品としてリジェクト１３で仕分けるかどうか、大判として振り分け装置１４で仕分けるかどうかが判別され、これら仕分けが実行されなかった通常の書籍の受け入れ部特定情報が自動仕分け装置２１の情報として出力される。そして、バインダーＶのシリアル番号が確認されると動作は終了される。また書店のコードとバインダーＶの番号からなるデータが管理コンピュータ１０へ出力され、バインダーＶが添付されたダンボールの仕分けが終了したことが管理される。
【００５４】
上記構成の制御装置３１の作用により、制御部４１から異型品信号、再検品信号、返送品信号、振り分け信号、受け入れ部特定情報が一定時間出力されると、トラッキング部４２から出力されるタイミング信号によりそれぞれ、各リジェクタ１１，１２，１３、振り分け装置１４へ駆動信号が出力され、また自動仕分け装置２１へ受け入れ部特定情報が出力される。これにより、書籍が通過するタイミングで各リジェクタ１１，１２，１３、振り分け装置１４が駆動され、書籍が搬出されるタイミングで自動仕分け装置２１へ受け入れ部特定情報が出力される。
【００５５】
上記自動仕分け装置２１の制御装置２１Ａは、図７のブロック図に示すように、統括制御部５１とｎ台の各受け入れ部２２にそれぞれ対応したｎ個の受け入れ部制御部５２から構成され、各受け入れ部制御部５２はそれぞれ、駆動部５３と満了検出部５４から構成されている。
【００５６】
駆動部５３は、時計５５と、後述する切出し装置２４から書籍が切り出されたタイミングで出力される仕分け信号を、入力する毎に、時計５５の時刻を記憶するメモリ５６と、切出し装置２４から書籍が切り出されて書籍がこの受け入れ部２２へ到着する到着時間が予め設定され、スキャンタイム毎にメモリ５６を検索して時刻の記憶を確認すると、メモリ５６に記憶された各時刻に到着時間を加算した時刻を求め、時計５５の時刻と一致すると、駆動装置２５へ駆動信号を出力し、さらにこの駆動信号を出力すると対応したメモリ５６の時刻を消去する経過時間検出部５７から構成されている。この駆動部５３の構成により、書籍は切出し装置２４から切り出されるタイミングで仕分け信号を入力すると、この受け入れ部２２へ書籍が到着するタイミングで駆動信号が出力され、駆動装置２２が駆動され、この駆動装置２２の駆動により仕分けコンベヤ２３が駆動されて搬送していた書籍が受け入れ部２２の収納箱へ投入される。
【００５７】
また満了検出部５４は、上記仕分け信号と同時に出力される書籍の重量を現重量に加算する加算器５８と、この加算器５８により求められた累計重量が予め設定された重量以上となったかどうかを検出し、検出すると満了押釦スイッチ２６のランプ２６ｂへ点灯信号を出力する比較器５９から構成され、また終了押釦スイッチ２７の操作信号により累計重量をリセット、すなわち“０”とセットするように構成されている。また累計重量は統括制御部５１へ出力され、点灯信号は満了信号として統括制御部５１へ出力される。
【００５８】
上記統括制御部５１には、一例として、受け入れ部２２を複数の群に分け、各群に書籍の返品曜日を、作業日程工程を立てて割り当てた仕分けデータが予め設定されており、この統括制御部５１へ制御装置３１より前記受け入れ部特定情報、すなわち書籍の返品の曜日と重量のデータが入力されると、統括制御部５１は書籍の返品の曜日からこの書籍をいずれの仕分ける群に仕分けるかを求め、求めた群のいずれかの受け入れ部２２を、書籍の仕分けを行う受け入れ部２２として設定する（特定する）。なお、過去の実績により各群の受け入れ部２２の個数は随時、調整される。また「返品の曜日」を入力した時点で切出し装置２４の上流部へ投入された書籍を特定し、所定時間後に切出し装置２４から切り出し信号を入力すると、仕分けを行うと設定した受け入れ部２２の受け入れ部制御部５２へ、仕分け信号を出力し、書籍の重量を出力する。また統括制御部５１は、上記満了信号を入力すると、このときの累計重量を記憶し、またこの受け入れ部２２への仕分けの設定を中止し、満了信号がオフとなったこと（終了押釦スイッチ２７が操作されて累計重量が０になったこと）を確認してこの受け入れ部２２への仕分けの設定を再開する。
【００５９】
この制御装置２１Ａの構成により、制御装置３１より受け入れ部特定情報が入力されるとこの情報により書籍を仕分ける受け入れ部２２が設定され、切出し装置２４から切り出し信号を入力すると、このタイミングで、受け入れ部２２が設定された受け入れ部制御部５２へ仕分け信号と重量のデータが出力され、受け入れ部制御部５２より書籍が通過するタイミングで駆動装置２５へ駆動信号が出力されて仕分けコンベヤ２３が駆動され、書籍が受け入れ部２２へ仕分けられ、また受け入れ部２２へ仕分けた書籍の重量が累計される。そして、仕分けられた書籍の重量が設定重量以上となると、この受け入れ部２２（収納箱２０）は満了と判断され、この受け入れ部２２への仕分けが中断され、満了押釦スイッチ２６のランプ２６ｂが点灯される。このランプ２６ｂに応じて作業者により満了押釦スイッチ２６を操作されると、そのスイッチ２６ａの操作信号に応じてリフト装置２８により書籍Ｂ（底板）は下降され収納箱２０は取出し可能となり、作業者により収納箱２０は受け入れ部２２から引き出されて書籍ＢがコンテナＣへ移載され、空となった収納箱２０が受け入れ部２２内へ戻され終了押釦スイッチ２７が操作されると、満了押釦スイッチ２６のランプ２６ｂは消灯され、この受け入れ部２２への仕分けが再開される。またリフト装置２８は、収納箱２０が戻されると書籍Ｂを受け入れるように前記底板を上昇させる。
【００６０】
以下、上記構成における作用を説明する。
作業者は、返品書籍が収納された書店毎のダンボールＤが到着すると、ダンボールにバインダーＶが添付されていることを確認し、続いてこのダンボールＤに予め付された書店のコードを入力装置３により制御装置３１へ入力する。そして、ダンボールＤから書籍を取り出し、目視で書籍の状況を判断し、問題がないと判断すると、書籍のＩＣチップ実装ラベルとバーコードとＩＳＢＮコードが先端で表となるように、投入口１へ投入する。すると、ベルトコンベヤ装置２により搬送されながら、書籍のＩＣチップとバーコードとＩＳＢＮコードの読取と、採寸と、重量測定が実行され、上記制御装置３１の制御部４１の判断により、除外品（異型品）はリジェクタ１１により異型品ラインへ仕分けられ、再検品はリジェクタ１２により再検品ラインへ仕分けられ、返送品はリジェクタ１３により返送品ラインへ仕分けられ、また大判の書籍は、振り分け装置１４によりコンベヤ装置１８（大判の仕分けライン）へ仕分けられる。
【００６１】
前記異型品ラインへ仕分けられた書籍Ｂは、自動仕分け装置２１による仕分けが不能と判断され、手作業での検品および仕分けが実行され、また再検品ラインへ仕分けられた書籍Ｂは再検品が実行され、また返送品ラインへ仕分けられた書籍Ｂは返品してきた書店へ返送され、また大判の仕分けラインへ仕分けられた書籍Ｂは、別途このラインで仕分けが実行される。
【００６２】
上記判断で仕分けられなかった書籍、すなわち外形、重量が正常で返品が可能と判断された書籍Ｂ（検品に適合した書籍）は、自動仕分け装置２１により仕分け条件にしたがって出版社の返品の曜日毎などに仕分けられ、受け入れ部２２が満了となると、満了押釦スイッチ２６のランプ２６ｂが点灯され、作業者はこの満了ランプ２６の点灯を確認すると、満了押釦スイッチ２６を操作しこの受け入れ部２２より収納箱２０を引き出して書籍をコンテナＣへ移載してコンベヤ装置２９へ載せ、自動倉庫３０へ保管する。また作業者は書籍Ｂの移載が終了すると、収納箱２０を受け入れ部２２へ戻し、終了押釦スイッチ２７を操作する。
【００６３】
そして、作業者は、ダンボールＤの書籍を全て投入口１へ投入すると、バインダーＶをＩＣチップ実装ラベル９が先端で表となるように、投入口１へ投入し、このダンボールの作業を終了する。このバインダーＶは、再検品ラインへ搬送され、再利用される。
【００６４】
なお、作業計画に基づいて、前記自動倉庫３０に保管されたコンテナＣは、たとえば返品の曜日に合わせて自動倉庫３０から出庫され、コンテナＣ内の書籍（一次仕分け済みの書籍）は、自動仕分け装置２１または他の仕分け装置により、出版社毎、または出版社および書籍の分野（銘柄；一般、教養、実用、専門など）毎、または出版社および書籍の価格帯毎に自動で再度仕分け（２次仕分け）が実行されて、あるいは作業者により出版社毎、または出版社および書籍の分野毎、または出版社および書籍の価格帯毎に手仕分けが行われて、返品される。
【００６５】
以上のように本実施の形態によれば、ＩＣチップリーダ８またはバーコードリーダ４またはＯＣＲ６により読み取られた書籍のコード（書籍を特定する情報）および入力装置３により入力された書店のコードにより、データベース３２の販売マスター３５に記憶されたこの書店／書籍の販売条件（検品条件の一例）が検索され、この販売条件により返品された書籍Ｂは検品され、検品結果に基づきリジェクタ１３などで書店への返送品などとして取り出すのか、自動仕分け装置２１の受け入れ部２２へ仕分けるのかが特定されることにより、販売条件が複雑な返品書籍を販売条件に応じて正確に検品することができ、さらに検品に適合した書籍Ｂを自動仕分け装置２１により特定された受け入れ部２２へ仕分けることができる。
【００６６】
また本実施の形態によれば、ＩＣチップリーダ８またはバーコードリーダ４またはＯＣＲ６により読み取られた書籍のコード（書籍を特定する情報）を読み取ることができなかったとき、または書籍のコードにより書誌マスター３３を検索し、書籍Ｂが目視判断が必要な指定書籍のとき、リジェクタ１２を駆動してこの書籍を下方のコンベヤ装置１６（再検品取出し部）へ取り出すことにより、再検品を実行して仕分けを確実に行うことができる。
【００６７】
また本実施の形態によれば、ＩＣチップリーダ８またはバーコードリーダ４またはＯＣＲ６により読み取られた書籍のコード（書籍を特定する情報）および入力装置３により入力された書店のコードにより、データベース３２の販売マスター３５に記憶されたこの書店／書籍の販売条件（検品条件の一例）が検索され、書籍が自動仕分け装置２１により仕分けられる前に、検索した書籍の販売条件を満たすかどうかを確認し、満たさないとき、すなわち注文販売品または買切販売品のとき、または委託販売品で返品可能期間を過ぎているとき、リジェクタ１３へ駆動信号が出力され、この書籍を下方のコンベヤ装置１７（返送品取出し部）へ取り出すことにより、販売条件を満たさない書籍を書店へ返送でき、返品できない書籍を受け取って代金を払い戻す恐れを解消することができる。
【００６８】
また本実施の形態によれば、除外品取出し部より上流に備えられた書籍測定手段、すなわち採寸装置５と重量センサ７により測定された書籍が、予め設定された所定寸法内に含まれないとき、または予め設定された所定重量内に含まれないとき、または予め設定された所定体積内に含まれないとき、リジェクタ１１へ駆動信号が出力され、この書籍を下方のコンベヤ装置１５（除外品取出し部）へ取り出すことにより、自動仕分け装置２１により仕分けが不可能な判型または重量の書籍Ｂが取り除かれ、仕分けが不可能な書籍Ｂにより自動仕分け装置２１に不具合が発生することを避けることができる。
【００６９】
また本実施の形態によれば、採寸装置５により測定された書籍の寸法から書籍が特定の判型と判断されると、たとえば大判の書籍と判断されると、振り分け装置１４へ駆動信号が出力され、この書籍をその下方のコンベヤ装置１８に仕分けることにより、書籍Ｂが自動仕分け装置２１の通常間口の仕分けコンベヤ２３、受け入れ部２２の収納箱２０に投入されずに落下してしまうなどの不具合の発生を回避できる。
【００７０】
また本実施の形態によれば、受け入れ部２２に仕分けられた書籍の重量は、重量センサ７により測定された重量を累積して求められ、所定の重量を超えるとこの受け入れ部２２は満了と判断され、この受け入れ部２２への仕分けは終了されることにより、この受け入れ部２２から書籍をコンテナＣへ移載する作業者の負担を均一にすることができる。
【００７１】
また本実施の形態によれば、ＩＣチップリーダ８またはバーコードリーダ４またはＯＣＲ６により読み取られた書籍のコード（書籍を特定する情報）が読み取られると、この情報によりこの書籍を出版した出版社が特定され、この出版社の情報によりこの書籍の仕分け条件として出版社へ返品する曜日が求められ、この返品する曜日の情報は自動仕分け装置２１の制御装置２１Ａへ出力され、書籍はこの書籍の出版社毎に設定された曜日毎の受け入れ部２２へ仕分けられることにより、返品される曜日毎に書籍をまとめることができ、４千社以上に及ぶ出版社への２次仕分けを簡易にすることができる。
【００７２】
また本実施の形態によれば、受け入れ部２２に仕分けられた書籍は、曜日毎に設定された受け入れ部２２毎に、自動倉庫３０に保管されることにより、連日返品されてくる書籍を返品する曜日毎にまとめておくことができる。
【００７３】
また本実施の形態によれば、自動倉庫３０に保管された一次仕分け済みの書籍を、作業日程計画に沿って、自動仕分け装置２１を使用して出版社毎、または出版社および書籍の分野毎、または出版社および書籍の価格帯毎に再度自動で仕分けることができ、作業者の数を少なくすることができる。たとえば、自動倉庫３０から出庫された返品予定の書籍（一次仕分け済の書籍）は、自動仕分け装置２１により出版社毎に仕分け（２次仕分け）が実行されて、返品される。
【００７４】
なお、本実施の形態では、販売マスター３５に設定された販売条件を、返品可能期間が設定された委託販売品か、注文販売品か、または買切販売品かの条件としているが、書籍が不扱い品か、調整品かなど他の条件を付加して販売条件を判断するようにすることもできる。
【００７５】
また本実施の形態では、各受け入れ部２２（収納箱２０）が仕分けられた書籍Ｂで満了となったことを、仕分けた各書籍Ｂの重量を累積することにより判断しているが、各収納箱２０にそれぞれ、収納箱２０内に仕分けられた書籍Ｂの総重量を検出する重量センサ（重量検出手段）あるいは収納箱２０内に仕分けられた書籍Ｂの高さを検知する高さ検知センサを設け、前記重量センサにより所定の重量を超えたことを検出することにより、あるいは前記高さ検知センサにより所定の高さを超えたことを検出することにより、受け入れ部２２（収納箱２０）が仕分けられた書籍Ｂで満了となったことを判断するようにしてもよい。
【００７６】
また本実施の形態では、出版社へ書籍Ｂを返却する曜日により自動仕分け装置２１により書籍Ｂの一次仕分けを行っているが、書籍Ｂを出版社へ返品する作業日程計画に基づき、出版社へ書籍Ｂを返却する曜日、または書籍Ｂの判型、または出版社、または出版社名の５０音順、または出版社名が５０音図の行別（ア行、カ行、サ行…の別）あるいは行（ア行、カ行、サ行…）の組合せの別、または書籍Ｂが新刊か既刊かの別、または書籍Ｂのシリーズ、または書籍Ｂの価格帯、または書籍Ｂが単品指定書籍（銘柄）かの別、または書籍Ｂの出版社からの仕入条件の少なくとも一つ、あるいはこれらの組合せにより仕分けを行うようにすることができる。
【００７７】
また本実施の形態では、終了押釦スイッチ２７の操作により収納箱２０が受け入れ部２２へ戻されたことを検出して底板を上昇させて書籍Ｂの再仕分けを開始しているが、終了押釦スイッチ２７の代わりに、収納箱２０が戻されたことを検出する手段、たとえばリミットスイッチを設けて、この検出手段の検出により底板を上昇させて再仕分けを開始するようにすることもできる。
【００７８】
また本実施の形態では、投入口１より作業者が書籍を投入しているが、書籍を自動で投入できる切出し装置（切出し手段の一例）を設置して全自動化を図ることもできる。これにより、書籍は切出し装置によりベルトコンベヤ装置２の上流位置へ切り出されて仕分け作業が開始される。
【００７９】
また本実施の形態では、自動仕分け装置２１は、仕分けコンベヤ２３を駆動して書籍を目的の受け入れ部２２へ投入するチルト・ベルトキャリア方式の仕分け装置としているが、たとえばスライドシュー式仕分けコンベヤ（搬送面に押し出し機構を組み込み、仕分け物と共に移動しながら押し出す仕分けコンベヤ）やダイバータ方式仕分けコンベヤ（外部に設けた案内板を旋回させて搬送経路上にガイド壁を形成し、仕分け物をガイド壁に沿って移動させる仕分けコンベヤ）などを使用した他の方式の仕分け装置としてもよい。
【００８０】
【発明の効果】
以上述べたように本発明によれば、読取手段により読み取られた書籍を特定する情報および入力手段により入力された小売業者の情報により、記憶手段に記憶されたこの書籍の検品条件が検索され、この書籍の検品条件により返品された書籍は検品され、検品に適合した書籍は仕分け手段により特定された仕分け口へ仕分けられることにより、書籍を検品条件にしたがって正確に仕分けることができ、検品に適合した書籍を特定の仕分け口へ仕分けることができる。
【図面の簡単な説明】
【図１】本発明の実施の形態における返品書籍の仕分け設備の概略配置図である。
【図２】同仕分け設備の制御構成図である。
【図３】同仕分け設備のデータベースのデータ構成図である。
【図４】同仕分け設備の制御装置のブロック図である。
【図５】同仕分け設備の制御装置の制御部の動作を説明するフローチャートである。
【図６】同仕分け設備の制御装置の制御部の動作を説明するフローチャートである。
【図７】同仕分け設備の自動仕分け装置の制御装置のブロック図である。
【符号の説明】
１    投入口
２    ベルトコンベヤ装置
３    入力装置
４    バーコードリーダ
５    採寸装置
６    ＯＣＲ
７    重量センサ
８    ＩＣチップリーダ
９    ＩＣチップ実装ラベル
１０  管理コンピュータ
１１，１２，１３  リジェクタ
１４  振り分け装置
１５，１６，１７，１８  コンベヤ装置
２０  収納箱
２１  自動仕分け装置
２２  受け入れ部
２３  仕分けコンベヤ
２４  切出し装置
２５  駆動装置
２９  コンベヤ装置
３０  自動倉庫
３１  制御装置
３２  データベース
３３  書誌マスター
３４  書店マスター
３５  販売マスター
３６  仕入れマスター
Ｂ    書籍
Ｖ    バインダー
【図１】
2004256226.tif 000003
【図２】
2004256226.tif 000004
【図３】
2004256226.tif 000005
【図４】
2004256226.tif 000006
【図５】
2004256226.tif 000007
【図６】
2004256226.tif 000008
【図７】
2004256226.tif 000009